(57)【要約】【課題】操作部材を昇降させる機構を備えた構成であっても筐体内で上下方向のスペースを大きく確保することができる電子機器を提供する。【解決手段】電子機器１０は、操作部材の一例であるポインティングスティック２６を支持したベース部材３６が、スライド部材４２のスライド方向に対して、ポインティングスティック２６の一方側に設けられた第１受圧部３６ｃと、ポインティングスティック２６の他方側に設けられた第２受圧部３６ｅと、を有する。また、スライド部材４２は、ベース部材３６の第１受圧部３６ｃを押圧可能な第１押圧部６４ａと、第２受圧部３６ｅを押圧可能な第２押圧部６５ａと、を有する。【選択図】図５Ａ
2020009277.tif 000002
【特許請求の範囲】
【請求項１】
電子機器であって、
筐体と、
前記筐体の表面に露出した操作部材と、
前記筐体の内部で昇降可能に設けられ、一面で支持した前記操作部材を前記筐体の表面から上昇させる上昇位置と、前記筐体の表面から下降させる下降位置との間で移動するベース部材と、
前記ベース部材を前記上昇位置から前記下降位置に向かう方向に付勢する弾性部材と、
前記筐体の内部でスライド可能に設けられ、一方向にスライドした場合に前記弾性部材の付勢力に抗して前記ベース部材を押圧して前記上昇位置に配置する一方、前記一方向とは逆の他方向にスライドした場合に前記操作部材に対する押圧力が解除されることで、前記ベース部材を前記弾性部材の付勢力によって前記下降位置に配置させるスライド部材と、
を備え、
前記ベース部材は、前記スライド部材のスライド方向に対して、前記操作部材の一方側に設けられた第１受圧部と、前記操作部材の前記一方側とは逆の他方側に設けられた第２受圧部と、を有し、
前記スライド部材は、前記ベース部材の前記第１受圧部を押圧可能な第１押圧部と、前記第２受圧部を押圧可能な第２押圧部と、を有することを特徴とする電子機器。
【請求項２】
請求項１に記載の電子機器であって、
前記操作部材には、配線が接続されると共に、該配線は、前記ベース部材の前記第１受圧部と前記第２受圧部との間となる位置を通過しており、
前記スライド部材は、前記第１押圧部と前記第２押圧部との間となる位置に、前記配線を跨いだブリッジ部を有することを特徴とする電子機器。
【請求項３】
請求項１又は２に記載の電子機器であって、
前記弾性部材は、少なくとも一対設けられると共に、該一対の弾性部材は、前記操作部材の前記一方側及び前記他方側にそれぞれ設けられており、
前記一対の弾性部材はそれぞれ、一端部が前記ベース部材に対して固定され、他端部が前記スライド部材の表面に摺動可能に当接しているか、又は、一端部が前記ベース部材の前記一面とは逆の他面に摺動可能に当接し、他端部が前記スライド部材に対して固定されていることを特徴とする電子機器。
【請求項４】
請求項１〜３のいずれか１項に記載の電子機器であって、
前記筐体の表面には、上下動可能な複数のキートップを有するキーボード装置が設けられ、
前記操作部材は、前記キーボード装置に設けられたポインティングスティックであり、
前記キーボード装置は、複数のキートップが左右方向に並んで配置されると共に、該左右方向に並んで配置された複数のキートップの前側及び後側には、左右方向に延在する隙間を介して複数のキートップが左右方向に並んで配置されており、
前記スライド部材は、前記キーボード装置の前記隙間に重なる位置で、前記左右方向にスライドすることを特徴とする電子機器。
【請求項５】
請求項４に記載の電子機器であって、
少なくとも前記ベース部材の前記一方側及び前記他方側にそれぞれ設けられ、前記ベース部材の前記上昇位置と前記下降位置との間での昇降動作をガイドする昇降ガイド部材と、
前記スライド部材を前記左右方向へのスライド動作をガイドするスライドガイド部材と、
を備え、
前記昇降ガイド部材及び前記スライドガイド部材は、前記隙間に重なる位置に設けられていることを特徴とする電子機器。
【請求項６】
請求項１〜５のいずれか１項に記載の電子機器であって、
前記筐体に対してヒンジ機構によって回動可能に連結され、ディスプレイが設けられたディスプレイ筐体と、
前記ディスプレイ筐体を前記筐体に対して回動させた場合に、前記スライド部材を移動させるリンク機構と、
を備えることを特徴とする電子機器。 
【発明の詳細な説明】
【技術分野】
【０００１】
本発明は、操作部材を備える電子機器に関する。
【背景技術】
【０００２】
ノート型ＰＣのような電子機器では、ディスプレイ筐体を本体筐体に対して０度位置から１８０度位置程度まで回動可能に連結した構成や、１８０度位置を越えて３６０度位置まで反転可能に連結した構成がある。この種の電子機器は、本体筐体の表面にキーボード装置と共にポインティングスティック等の操作部材が設けられることがある（例えば特許文献１参照）。
【０００３】
本出願人は、特許文献１において、ディスプレイ筐体を閉じた際にポインティングスティックを本体筐体の表面から下降させることができる構成を提案している。この構成によれば、例えば０度位置においてポインティングスティックが閉じられたディスプレイと干渉することを防止でき、筐体の薄型化を図ることができる。しかもこの構成では、例えば３６０度位置においてポインティングスティックが机の上面等に干渉することを防止でき、その破損や損傷を防止できる。
【先行技術文献】
【特許文献】
【０００４】
【特許文献１】特許第６２１９４５７号公報
【発明の概要】
【発明が解決しようとする課題】
【０００５】
上記特許文献１の構成は、ポインティングスティックを昇降させるためのスライド部材を左右一対設けているため、部品コストや重量が大きい。また、この構成では、２枚のスライド部材の厚みが、その下方に配設された基板上のスペースを大きく侵食している。このため、基板上での電子部品の実装設計が大きな制約を受けている。
【０００６】
一方、上記特許文献１では、１枚のスライド部材の先端部を分岐させた一対の押圧部でポインティングスティックを支持したベース部材に設けた一対の受圧部を押圧する構成も提案している。ところが、この構成では、スライド部材が左右方向にスライドするのに対し、ベース部材は一対の受圧部と操作部材とが前後方向に一列に並んで配置されている。さらに、ベース部材の昇降動作をガイドするガイド部材もポインティングスティックを挟んでベース部材の前後に並んで配置されている。つまり特許文献１の構成では、ポインティングスティックを支持したベース部材の長手方向が、スライド部材のスライド方向に対して直交した配置となっている。このため、基板上のスペースは、１枚のスライド部材やベース部材による左右方向の範囲だけでなく、ベース部材が前後方向に張り出した範囲までが侵食されている。その結果、ポインティングスティックの下方に配置される基板での電子部品の実装設計の制約の低減効果は限定的なものとなっており、筐体の薄型化に対する効果も限定的である。
【０００７】
本発明は、上記従来技術の課題を考慮してなされたものであり、操作部材を昇降させる機構を備えた構成であっても筐体内で上下方向のスペースを大きく確保することができる電子機器を提供することを目的とする。
【課題を解決するための手段】
【０００８】
本発明の第１態様に係る電子機器は、電子機器であって、筐体と、前記筐体の表面に露出した操作部材と、前記筐体の内部で昇降可能に設けられ、一面で支持した前記操作部材を前記筐体の表面から上昇させる上昇位置と、前記筐体の表面から下降させる下降位置との間で移動するベース部材と、前記ベース部材を前記上昇位置から前記下降位置に向かう方向に付勢する弾性部材と、前記筐体の内部でスライド可能に設けられ、一方向にスライドした場合に前記弾性部材の付勢力に抗して前記ベース部材を押圧して前記上昇位置に配置する一方、前記一方向とは逆の他方向にスライドした場合に前記操作部材に対する押圧力が解除されることで、前記ベース部材を前記弾性部材の付勢力によって前記下降位置に配置させるスライド部材と、を備え、前記ベース部材は、前記スライド部材のスライド方向に対して、前記操作部材の一方側に設けられた第１受圧部と、前記操作部材の前記一方側とは逆の他方側に設けられた第２受圧部と、を有し、前記スライド部材は、前記ベース部材の前記第１受圧部を押圧可能な第１押圧部と、前記第２受圧部を押圧可能な第２押圧部と、を有する。
【０００９】
このような構成によれば、１枚のスライド部材によって操作部材を昇降させるため、筐体内の上下方向のスペースを大きく確保することができる。しかも、ベース部材は、スライド部材の第１押圧部と第２押圧部とで押圧される第１受圧部と第２受圧部とが、スライド部材のスライド方向に対して、操作部材の一方側と他方側とに配置されている。このため、操作部材を昇降させるベース部材は、その長手方向がスライド部材のスライド方向に沿った配置姿勢とすることができる。その結果、筐体内の上下方向のスペースがベース部材によって侵食される範囲が、スライド部材によって侵食される範囲に略重なることになる。このため、スライド部材によるスペースの低減量とほとんど変わらない低減量でベース部材の昇降動作を確保することができる。つまり、筐体内での上下方向のスペースを大きく確保することができ、例えばその下方に配置される基板上での電子部品の実装設計の制約を大幅に解消することができる。
【００１０】
前記操作部材には、配線が接続されると共に、該配線は、前記ベース部材の前記第１受圧部と前記第２受圧部との間となる位置を通過しており、前記スライド部材は、前記第１押圧部と前記第２押圧部との間となる位置に、前記配線を跨いだブリッジ部を有する構成としてもよい。そうすると、スライド部材がスライド動作した際、配線にスライド部材が干渉することを回避できる。このため、配線の引き出し方向やスライド部材のスライド方向の自由度が向上する。
【００１１】
前記弾性部材は、少なくとも一対設けられると共に、該一対の弾性部材は、前記操作部材の前記一方側及び前記他方側にそれぞれ設けられており、前記一対の弾性部材はそれぞれ、一端部が前記ベース部材に対して固定され、他端部が前記スライド部材の表面に摺動可能に当接しているか、又は、一端部が前記ベース部材の前記一面とは逆の他面に摺動可能に当接し、他端部が前記スライド部材に対して固定された構成としてもよい。そうすると、弾性部材は、ベース部材の水平姿勢を確実に保持しながら昇降方向に付勢することができる。しかも弾性部材は、平面視でスライド部材のスライド範囲内に収まる配置となるため、弾性部材が筐体内のスペースを侵食することを抑制できる。
【００１２】
前記筐体の表面には、上下動可能な複数のキートップを有するキーボード装置が設けられ、前記操作部材は、前記キーボード装置に設けられたポインティングスティックであり、前記キーボード装置は、複数のキートップが左右方向に並んで配置されると共に、該左右方向に並んで配置された複数のキートップの前側及び後側には、左右方向に延在する隙間を介して複数のキートップが左右方向に並んで配置されており、前記スライド部材は、前記キーボード装置の前記隙間に重なる位置で、前記左右方向にスライドする構成としてもよい。そうすると、スライド部材のスライド動作に必要となるガイド部材等がキーボード装置のキースイッチに干渉することを抑制できる。
【００１３】
少なくとも前記ベース部材の前記一方側及び前記他方側にそれぞれ設けられ、前記ベース部材の前記上昇位置と前記下降位置との間での昇降動作をガイドする昇降ガイド部材と、前記スライド部材を前記左右方向へのスライド動作をガイドするスライドガイド部材と、を備え、前記昇降ガイド部材及び前記スライドガイド部材は、前記隙間に重なる位置に設けられた構成としてもよい。そうすると、上下方向に延在して配置する必要のある昇降ガイド部材及びスライドガイド部材がキーボード装置のキースイッチに干渉することを抑制できる。
【００１４】
前記筐体に対してヒンジ機構によって回動可能に連結され、ディスプレイが設けられたディスプレイ筐体と、前記ディスプレイ筐体を前記筐体に対して回動させた場合に、前記スライド部材を移動させるリンク機構と、を備える構成としてもよい。
【発明の効果】
【００１５】
本発明の上記態様によれば、操作部材を昇降させる機構を備えた構成であっても筐体内で上下方向のスペースを大きく確保することができる。
【図面の簡単な説明】
【００１６】
【図１】図１は、本発明の一実施形態に係る電子機器の平面図である。
【図２Ａ】図２Ａは、図１に示す電子機器の側面図である。
【図２Ｂ】図２Ｂは、図２Ａに示す状態からディスプレイ筐体を開き方向に回動させて３６０度位置としたタブレット型ＰＣの使用形態での側面図である。
【図３】図３は、スティック位置設定機構の構成を示す底面図である。
【図４Ａ】図４Ａは、スティック位置設定機構によってポインティングスティックが使用位置に設定された状態での本体筐体の内部構造を模式的に示す側面断面図である。
【図４Ｂ】図４Ｂは、スティック位置設定機構によってポインティングスティックが収納位置に設定された状態での本体筐体の内部構造を模式的に示す側面断面図である。
【図５Ａ】図５Ａは、ポインティングスティックが使用位置にある状態でのポインティングスティックの下部及び周辺部を下方から見た斜視図である。
【図５Ｂ】図５Ｂは、ポインティングスティックが収納位置にある状態でのポインティングスティックの下部及び周辺部を下方から見た斜視図である。
【図６】図６は、スライド部材の構成を示す要部拡大斜視図である。
【図７】図７は、ベース部材及び弾性部材の構成を示す斜視図である。
【図８】図８は、ヒンジ機構とリンク機構の構成例を模式的に示す平面図である。
【図９】図９は、キーボード装置に設けられるポインティングスティック及びその周辺部を拡大した平面図である。
【図１０】図１０は、変形例に係るベース部材の構成を示す平面図である。
【発明を実施するための形態】
【００１７】
以下、本発明に係る電子機器について好適な実施の形態を挙げ、添付の図面を参照しながら詳細に説明する。
【００１８】
図１は、本発明の一実施形態に係る電子機器１０の平面図である。図１は、ヒンジ機構１２Ｌ，１２Ｒによってディスプレイ筐体１４を本体筐体１６から開いてノートモードとした電子機器１０を上から見た図である。図２Ａは、図１に示す電子機器１０の側面図である。図２Ｂは、図２Ａに示す状態からディスプレイ筐体１４を開き方向に回動させて３６０度位置としたタブレット型ＰＣの使用形態での側面図である。
【００１９】
本実施形態に係る電子機器１０は、ノート型ＰＣ及びタブレット型ＰＣとして使用可能なコンバーチブル型ＰＣである。電子機器１０は、ディスプレイ筐体１４を本体筐体１６に対して９０度〜１８０度程度の角度位置に回動させた状態ではノート型ＰＣとして好適に使用可能なノートモードとなる（図１及び図２Ａ参照）。電子機器１０は、ディスプレイ筐体１４を本体筐体１６に対して３６０度位置まで回動させた状態ではタブレット型ＰＣとして好適に使用可能なタブレットモードとなる（図２Ｂ参照）。電子機器１０はディスプレイ筐体１４を本体筐体１６に対して０度〜１８０度程度の角度範囲で回動可能な一般的なノート型ＰＣでもよい。電子機器１０はコンバーチブル型ＰＣやノート型ＰＣ以外、例えば携帯電話、スマートフォン又は電子手帳等であってもよい。
【００２０】
以下、図１及び図２Ａに示すノートモードを基準とし、ディスプレイ１８を視認しながらキーボード装置２０を操作する使用者から見た方向で、手前側を前、奥側を後と呼び、本体筐体１６の厚み方向を上下方向、幅方向を左右方向と呼んで説明する。
【００２１】
本体筐体１６に対するディスプレイ筐体１４の角度位置については、ディスプレイ筐体１４を本体筐体１６に対して完全に閉じた状態とし、互いの前面１４ａと上面１６ａとが対面した姿勢、つまりディスプレイ１８とキーボード装置２０が対面した姿勢を０度位置（図２Ａ中に本体筐体１６の上に２点鎖線で示したディスプレイ筐体１４参照）と呼ぶ。そして、この０度位置を基準として、ディスプレイ筐体１４を開き方向に回動させる方向で角度を刻みながら説明する。例えばディスプレイ筐体１４の前面１４ａと本体筐体１６の上面１６ａとが直交した姿勢を９０度位置と呼ぶ。前面１４ａと上面１６ａとが同一方向（上方）を向いて互いに平行した姿勢を１８０度位置（図２Ａ中に本体筐体１６の右に２点鎖線で示したディスプレイ筐体１４参照）と呼ぶ。ディスプレイ筐体１４の後面１４ｂと本体筐体１６の下面１６ｂとが対面した姿勢を３６０度位置（図２Ｂ参照）と呼ぶ。これら０度位置、１８０度位置及び３６０度位置等の表記については、本体筐体１６、ディスプレイ筐体１４又はヒンジ機構１２Ｌ，１２Ｒの構造により、角度数字の示す正確な角度位置から多少ずれた角度位置となることも当然生じることがある。
【００２２】
図１、図２Ａ及び図２Ｂに示すように、電子機器１０は、ディスプレイ筐体１４と本体筐体１６とを左右一対のヒンジ機構１２Ｌ，１２Ｒ（以下、まとめて「ヒンジ機構１２」と呼ぶこともある）によって０度位置から３６０度位置まで回動可能に連結した構成である。
【００２３】
ディスプレイ筐体１４は、ヒンジ機構１２を通過した図示しないケーブルにより本体筐体１６と電気的に接続されている。ディスプレイ１８は、例えばタッチパネル式の液晶ディスプレイによって構成される。
【００２４】
本体筐体１６は、扁平箱状に形成され、その後端部にヒンジ機構１２が設けられている。本体筐体１６の内部には、バッテリ装置、基板２２及び基板２２に実装される演算装置やメモリ等の各種電子部品２４Ｌ，２４Ｈ等が収納されている（図４Ａ参照）。キーボード装置２０は、本体筐体１６の上面１６ａに設けられている。キーボード装置２０の略中央にはポインティングスティック（操作部材）２６が設けられている。ポインティングスティック２６はディスプレイ１８に表示されるカーソル（マウスポインタ）を操作するための操作部材であり、マウスの代わりとして操作できる。キーボード装置２０の前側にはタッチパッド２７が設けられている。タッチパッド２７はディスプレイ１８に表示されるカーソル（マウスポインタ）を操作するためのものである。タッチパッド２７の後側には、ポインティングスティック２６又はタッチパッド２７によるカーソル操作と連係して機能する３つの機能ボタンが設けられている。
【００２５】
キーボード装置２０は、前後左右方向に並ぶように配列された複数のキースイッチ２８を備える。各キースイッチ２８の操作面を構成する各キートップ２８ａは、周囲の隙間がフレーム３０によって埋められている。キーボード装置２０は、隣接するキートップ２８ａ間がフレーム３０によって区画され、それぞれが独立した構成からなるアイソレーション型の構造である。フレーム３０は、各キートップ２８ａが配置される複数の孔部が形成された網目状のプレートである。フレーム３０は、本体筐体１６の上面１６ａと略面一又は多少低位置となるように設けられている。
【００２６】
本体筐体１６には、少なくとも０度位置及び３６０度位置において、キートップ２８ａを通常操作時の使用位置から下方に押し下げた収納位置に移動させて保持するキー位置設定機構が設けられている。キー位置設定機構は、例えば７０度位置から１８０度位置において、キートップ２８ａを使用位置に保持し、０度位置及び３６０度位置においてキートップ２８ａを収納位置に保持する機構である。キー位置設定機構によるキートップ２８ａの上下動作は、ディスプレイ筐体１４の回動動作と連動する。キー位置設定機構は、例えば上記特許文献１に開示された公知の構成でよい。
【００２７】
ポインティングスティック２６は、フレーム３０の略中央に形成された孔部３０ａから昇降可能である（図４Ａ及び図４Ｂ参照）。本体筐体１６には、ポインティングスティック２６を昇降させるスティック位置設定機構３２が設けられている（図４Ａ及び図４Ｂ参照）。スティック位置設定機構３２は、例えば７０度位置から１８０度位置においてポインティングスティック２６を通常操作時の使用位置に保持し、０度位置及び３６０度位置においてポインティングスティック２６を使用位置よりも下方に押し下げた収納位置に保持する機構である。スティック位置設定機構３２によるポインティングスティック２６の昇降動作は、ディスプレイ筐体１４の回動動作と連動する。
【００２８】
図３は、スティック位置設定機構３２の構成を示す底面図であり、本体筐体１６の内部をキーボード装置２０の下から見た図である。図４Ａは、スティック位置設定機構３２によってポインティングスティック２６が使用位置に設定された状態での本体筐体１６の内部構造を模式的に示す側面断面図である。図４Ｂは、スティック位置設定機構３２によってポインティングスティック２６が収納位置に設定された状態での本体筐体１６の内部構造を模式的に示す側面断面図である。図５Ａは、ポインティングスティック２６が使用位置にある状態でのポインティングスティック２６の下部及び周辺部を下方から見た斜視図である。図５Ｂは、ポインティングスティック２６が収納位置にある状態でのポインティングスティック２６の下部及び周辺部を下方から見た斜視図である。
【００２９】
図３、図４Ａ及び図４Ｂに示すように、スティック位置設定機構３２は、本体筐体１６内でキーボード装置２０の下面側に配設されている。キーボード装置２０は、ポインティングスティック２６、フレーム３０及び各キースイッチ２８をベースプレート３４の上面３４ａ側に設けた構成である。ベースプレート３４は、薄いアルミニウム板等の金属板に切り起こし成形や打ち抜き成形を施したものであり、全てのキースイッチ２８が１枚のベースプレート３４に取り付けられている。各キートップ２８ａとベースプレート３４との間には、キートップ２８ａの押下操作を検出するメンブレンシート等のスイッチシートが介在する。
【００３０】
ポインティングスティック２６は、フレーム３０の孔部３０ａを介して本体筐体１６の上面（表面）１６ａに露出している。ポインティングスティック２６は、例えば樹脂材料や硬質のゴム材料等で形成された円柱状部材である。ポインティングスティック２６は、孔部３０ａからベースプレート３４に形成された孔部３４ｃを挿通し、ベースプレート３４の下面３４ｂ側まで延びている。つまりポインティングスティック２６はキーボード装置２０を上下方向に貫通している。ポインティングスティック２６の下部は、ベースプレート３４の下面３４ｂに積層されたベース部材３６に支持されている。ポインティングスティック２６は、ベース部材３６の上面（一面）３６ａから上方に突出し、下端部がベース部材３６の下面（他面）３６ｂに積層されたセンサ基板３８に接続されている。
【００３１】
センサ基板３８は、ポインティングスティック２６の制御基板である。ポインティングスティック２６は、センサ基板３８に電気的に接続された状態で一体に固定されたモジュール構造となっている。センサ基板３８には、例えば基板２２と接続される配線３９が接続されている。つまり配線３９は、センサ基板３８を介してポインティングスティック２６と電気的に接続されている。配線３９は、センサ基板３８から前側に引き出されている。
【００３２】
図３〜図５Ｂに示すように、スティック位置設定機構３２は、ベース部材３６と、一対の弾性部材４０，４１と、スライド部材４２とを有する。図６は、スライド部材４２の構成を示す要部拡大斜視図である。図７は、ベース部材３６及び弾性部材４０，４１の構成を示す斜視図である。
【００３３】
図４Ａ〜図５Ｂに示すように、ベース部材３６は、平面視略Ｔ字形状の薄い金属プレートであり、本体筐体１６の内部で昇降可能に設けられている。ベース部材３６の左右側部には、それぞれガイド孔４３ａ，４３ｂが形成されている（図７参照）。ガイド孔４３ａ，４３ｂには、それぞれ昇降ガイド部材４４，４５が軸方向に摺動可能に挿入されている。ポインティングスティック２６及びセンサ基板３８は、左右のガイド孔４３ａ，４３ｂの間となる位置でベース部材３６に取り付けられている。ベース部材３６は、昇降ガイド部材４４，４５のガイド作用下に、ポインティングスティック２６を上面１６ａから上昇させて使用位置にする上昇位置と、ポインティングスティック２６を上面１６ａから下降させて収納位置にする下降位置とに移動可能である。
【００３４】
ベース部材３６は、前後一対の第１受圧部３６ｃ，３６ｄと、第２受圧部３６ｅとを有する。第１受圧部３６ｃ，３６ｄは、ベース部材３６のスライド部材４２に対しての遠位側端部（左側端部）から前後方向にそれぞれ突出した突出片である。第２受圧部３６ｅは、ベース部材３６のスライド部材４２に対しての近位側端部（右側端部）によって形成されている。
【００３５】
図４Ａ及び図４Ｂに示すように、各昇降ガイド部材４４，４５は、ベースプレート３４の下面３４ｂから下に突出したボス部４６と、ボス部４６に螺合した止めねじ４７とで構成されている。ボス部４６は、ベースプレート３４を下面３４ｂ側に突き出し成形した円筒形状の突起であり、軸中心に雌ねじが貫通形成されている。止めねじ４７は、ベースプレート３４の下面３４ｂ側からボス部４６に螺合し、頭部がボス部４６及びガイド孔４３ａ，４３ｂよりも大径となっている。昇降ガイド部材４４，４５は、それぞれガイド孔４３ａ，４３ｂにボス部４６を摺動可能に挿入した状態で止めねじ４７が固定される。これにより、昇降ガイド部材４４，４５は、ベース部材３６の昇降動作をガイドしている。止めねじ４７は、その頭部がベース部材３６を抜け止めすると共に、ベース部材３６の最大下降位置を規定する。
【００３６】
各弾性部材４０，４１は、ベース部材３６を上昇位置から下降位置に向かう方向（下方）に向かって常時付勢する板ばねである。左側の弾性部材４０は、第１受圧部３６ｃ，３６ｄを含むベース部材３６の左側部分を覆う取付部４０ａと、取付部４０ａの左側端部から左側に突出した前後一対の弾性アーム４０ｂ，４０ｃとを有する。右側の弾性部材４１は、第２受圧部３６ｅを含むベース部材３６の右側部分を覆う取付部４１ａと、取付部４１ａの右側端部から右側に突出した前後一対の弾性アーム４１ｂ，４１ｃとを有する。取付部４０ａ，４１ａは、ベース部材３６の下面３６ｂに固着されており、それぞれ昇降ガイド部材４４，４５を挿通させる開口４０ｄ，４１ｄを有する（図５Ｂ参照）。各弾性アーム４０ｂ，４０ｃ，４１ｂ，４１ｃは、それぞれ基端部（一端部）が取付部４０ａを介してベース部材３６の下面３６ｂに固定され、先端部（他端部）がスライド部材４２の表面４２ａに摺動可能に当接している。図４Ａ及び図４Ｂでは、弾性部材４０，４１の図示を省略している。
【００３７】
弾性部材４０，４１は、ポインティングスティック２６を挟んで略左右対称に配置されており、ベース部材３６は、左右の弾性部材４０，４１から左右均等な付勢力を受けている。このため、ベース部材３６は、水平姿勢を維持したまま安定して昇降可能である。本実施形態の場合、弾性部材４０，４１の取付部４０ａ，４１ａは、それぞれベース部材３６の各受圧部３６ｃ，３６ｄ，３６ｅを覆っている。このため、弾性部材４０，４１は、これら受圧部３６ｃ，３６ｄ，３６ｅと共にスライド部材４２からの押圧力を受ける構成となっている。各取付部４０ａ，４１ａは、ベース部材３６の各受圧部３６ｃ，３６ｄ，３６ｅを覆わず、例えば各受圧部３６ｃ，３６ｄ，３６ｅの近傍を切り欠いた形状等としてもよい。弾性部材４０，４１は、例えば昇降ガイド部材４４，４５に外挿されたコイルばね等で構成されてもよいが、本実施形態のように板ばねで構成された方が薄型化し易いという利点がある。
【００３８】
図３、図４Ａ及び図４Ｂに示すように、スライド部材４２は、ベースプレート３４の下面３４ｂ側で左右方向にスライド可能に設けられた長尺矩形状の板状部材である。スライド部材４２は、リンク機構５０を構成するスライドリンク部材５２の前後方向への移動と連動して左右方向にスライドする（図３参照）。スライド部材４２は、基端部（右端部）がスライドリンク部材５２と連結され、先端部（左端部）がポインティングスティック２６のベース部材３６に重なる位置まで延びている。
【００３９】
スライド部材４２は、幅方向（前後方向）で略中央に形成された３つのガイド長孔４２ｂ，４２ｃ，４２ｄと、ガイド長孔４２ｂ等よりも多少後側にオフセットして形成された２つの補助ガイド長孔４２ｅ，４２ｆとを有する。補助ガイド長孔４２ｅ，４２ｆには、それぞれベースプレート３４の下面３４ｂから下方に突出したガイドピン５４が摺動可能に挿通されている。先端側の２つのガイド長孔４２ｂ，４２ｃ間には、ポインティングスティック２６、ベース部材３６及び昇降ガイド部材４４，４５が配置されている。スライド部材４２は、先端側に開口部４２ｇを有する。ガイド長孔４２ｂ，４２ｃは、互いに対向する端部同士がそれぞれ開口部４２ｇに連通している（図６参照）。ガイド長孔４２ｂ，４２ｃには、それぞれスライドガイド部材５６，５７が摺動可能に挿入される（図４Ａ〜図５Ｂ参照）。
【００４０】
図４Ａ及び図４Ｂに示すように、各スライドガイド部材５６，５７は、段付きねじで構成されており、ベースプレート３４の上面３４ａから下に突出したボス部５８に螺合している。ボス部５８は、ベースプレート３４を上面３４ａ側に突き出し成形した円筒形状の突起であり、軸中心に雌ねじが貫通形成されている。各スライドガイド部材５６，５７は、そのねじ部がボス部５８に螺合し、それぞれの段部５６ａ，５７ａがガイド長孔４２ｂ、４２ｃ内でベースプレート３４の下面３４ｂに当接している。これによりスライドガイド部材５６，５７は、スライド部材４２のスライド動作をガイドしている。スライドガイド部材５６，５７は、その頭部がスライド部材４２を抜け止めしている（図５Ａ及び図５Ｂ参照）。なお、ガイド長孔４２ｄには、スライドガイド部材５６と同一構造のスライドガイド部材５６（又は５７）が摺動可能に挿入される（図３参照）。
【００４１】
図３に示すように、スライドリンク部材５２の側部には、キーボード装置２０側に向かって突出したリンク板６０が設けられている。リンク板６０には、前側から後側に向かって次第に左側から右側に変位した斜めクランク形状の駆動孔部６０ａが形成されている。スライド部材４２の右端部は、リンク板６０の上面に重ねるように配置されている。このスライド部材４２の右端部には、駆動孔部６０ａに摺動可能に係合した駆動ピン６２が突設されている。従って、スライドリンク部材５２が前後方向に移動すると、前後方向に移動する駆動孔部６０ａ内を駆動ピン６２が摺動する。その結果、スライド部材４２がスライドガイド部材５６，５７のガイド作用下に左右方向にスライドする。
【００４２】
スライド部材４２の先端部には、ポインティングスティック２６を昇降させるための第１押圧部６４ａ，６４ｂ及び第２押圧部６５ａ，６５ｂが設けられている。
【００４３】
図５Ａ〜図６に示すように、第１押圧部６４ａ，６４ｂはそれぞれ、スライド部材４２の先端側に向かって延在した保持部６６と、保持部６６の先端側から屈曲し、下方に向かって傾斜した押上部６７とで構成されている。保持部６６は、スライド部材４２の表面４２ａよりも一段下がった位置に形成され、左右方向に沿った水平板である。押上部６７は、保持部６６から先端側に向かって次第に下方に傾斜した傾斜板であり、開口部４２ｇに臨んでいる。スライド部材４２は、第１押圧部６４ａ，６４ｂの各保持部６６の側部同士を繋ぎ、第１押圧部６４ａ，６４ｂを囲むように形成された略Ｕ字状の先端補強部６８を有する。先端補強部６８は、前後一対の押圧部６４ａ，６４ｂ間を繋いで補強した部分である。ガイド長孔４２ｂは、先端補強部６８に形成されている。先端補強部６８は、省略してもよいが、先端補強部６８を設けた方が各押圧部６４ａ，６４ｂでベース部材３６をより安定して押圧できる。
【００４４】
第２押圧部６５ａ，６５ｂはそれぞれ、スライド部材４２の先端側に向かって延在した保持部６９と、保持部６９の先端側から屈曲し、下方に向かって傾斜した押上部７０とで構成されている。保持部６９は、スライド部材４２の表面４２ａよりも一段下がった位置に形成され、左右方向に沿った水平板である。押上部７０は、保持部６９から先端側に向かって次第に下方に傾斜した傾斜板であり、開口部４２ｇに臨んでいる。
【００４５】
スライド部材４２は、前側の押圧部６４ａ，６５ａ間に設けられたブリッジ部７２ａと、後側の押圧部６４ｂ，６５ｂ間に設けられたブリッジ部７２ｂとを有する。ブリッジ部７２ａ，７２ｂは、それぞれ開口部４２ｇの前側及び後側で左右方向に延在した幅狭な板部である。ブリッジ部７２ａ，７２ｂは、スライド部材４２の表面４２ａよりも下側に膨らんだ凹形状を有し、配線３９を跨いでいる。各ブリッジ部７２ａ，７２ｂは、スライド部材４２がスライドした場合に配線３９と干渉しない高さ及び左右方向長さに設定されている（図５Ａ及び図５Ｂ参照）。
【００４６】
スティック位置設定機構３２は、ポインティングスティック２６が図４Ｂ及び図５Ｂに示す収納位置にある状態では、スライドリンク部材５２が最も後側に移動した位置にあり、スライド部材４２がベース部材３６から最も離間する方向（右側）に移動した位置にある（図３参照）。この状態では、スライド部材４２の第１押圧部６４ａ，６４ｂの押上部６７がベース部材３６の第１受圧部３６ｃ，３６ｄから退行した位置にあり、同時に、第２押圧部６５ａ，６５ｂの押上部７０も第２受圧部３６ｅから退行した位置にある（図４Ｂ及び図５Ｂ参照）。このため、ベース部材３６が弾性部材４０，４１の付勢力によって下降した下降位置にあり、ポインティングスティック２６が収納位置に保持されている。収納位置では、ポインティングスティック２６の頂部がフレーム３０の上面１６ａと略面一又は低い位置となり、キーボード装置２０の上面が凹凸のない平面状に構成される。この際、当該電子機器１０では、上記したキー位置設定機構によって各キートップ２８ａも下降した収納位置となる。
【００４７】
ポインティングスティック２６が図４Ｂ及び図５Ｂに示す収納位置にある状態で、リンク機構５０を介してスライドリンク部材５２が前側に移動すると、スライド部材４２がベース部材３６に近接する一方向（左側）に移動する（図３中に示すスライドリンク部材５２及びスライド部材４２にそれぞれ付記した矢印Ａ参照）。これにより、スライド部材４２は、第１押圧部６４ａ，６４ｂの押上部６７がベース部材３６の第１受圧部３６ｃ，３６ｄに摺接してこれを押し上げ、同時に、第２押圧部６４５，６５ｂの押上部７０も第２受圧部３６ｅに摺接してこれを押し上げる。このため、ベース部材３６が弾性部材４０，４１の付勢力に抗して次第に上昇する。最終的には、図４Ａ及び図５Ａに示すように、スライド部材４２の第１押圧部６４ａ，６４ｂの保持部６６がベース部材３６の第１受圧部３６ｃ，３６ｄに当接し、同時に、第２押圧部６５ａ，６５ｂの保持部６９が第２受圧部３６ｅに当接した位置となる。従って、ベース部材３６は、保持部６６，６９の保持作用下に上昇位置に保持され、ポインティングスティック２６が使用位置に保持される。使用位置では、ポインティングスティック２６の頂部がフレーム３０の上面１６ａより高い位置又は略面一となり、ユーザによる操作が可能となる。この際、当該電子機器１０では、上記したキー位置設定機構によって各キートップ２８ａも上昇した使用位置となる。
【００４８】
ポインティングスティック２６が図４Ａ及び図５Ａに示す使用位置にある状態で、リンク機構５０を介してスライドリンク部材５２が後側に移動すると、スライド部材４２がベース部材３６から離間する他方向（右側）に移動し、スライド部材４２の各押圧部６４ａ，６４ｂ，６５ａ，６５ａが各受圧部３６ｃ〜３６ｅから退行し、ベース部材３６に対する押圧力が解除される。その結果、ベース部材３６は弾性部材４０，４１の付勢力によって下降位置に移動し、ポインティングスティック２６が再び収納位置となる。
【００４９】
このようなスティック位置設定機構３２によるポインティングスティック２６の昇降動作は、リンク機構５０を介してヒンジ機構１２と連係しており、ディスプレイ筐体１４の回動角度位置に対応する。
【００５０】
そこで、次に、ディスプレイ筐体１４の回動動作とスティック位置設定機構３２の動作とを連動させるヒンジ機構１２及びリンク機構５０の構成例を説明する。図８は、ヒンジ機構１２とリンク機構５０の構成例を模式的に示す平面図である。本実施形態では、図３に示すようにスライドリンク部材５２及びスライド部材４２をキーボード装置２０の右側に設けているため、リンク機構５０は右側のヒンジ機構１２Ｒと連動する構成となっている。勿論、スライドリンク部材５２及びスライド部材４２をキーボード装置２０の左側に設ける場合は、リンク機構５０を左側のヒンジ機構１２Ｌと連動する構成とすればよい。
【００５１】
図８に示すように、ヒンジ機構１２Ｒは、左右方向に延在する第１シャフト７４と、第１シャフト７４と平行して設置された第２シャフト７５と、第１シャフト７４及び第２シャフト７５を回転可能に軸支して収納する箱状のヒンジ筐体７６とを備える（図２Ａ及び図２Ｂも参照）。第１シャフト７４は、一端部に固定された取付板７４ａが本体筐体１６に固定されることで本体筐体１６と一体的に回転する。第２シャフト７５は、一端部に固定された取付板７５ａがディスプレイ筐体１４に固定されることでディスプレイ筐体１４と一体的に回転する。第１シャフト７４及び第２シャフト７５の他端部はヒンジ筐体７６の内部で回転可能な状態で支持されている。本実施形態の場合、第１シャフト７４及び第２シャフト７５はヒンジ筐体７６内に収容された図示しない歯車列を介して同期回転する。
【００５２】
第１シャフト７４は、ヒンジ筐体７６の外側となる部分の外周面に第１カム部材７８と第２カム部材７９とが外嵌されると共に、各カム部材７８，７９間に可動筒体８０が外挿されている。各カム部材７８，７９は、互いの間に可動筒体８０が移動する間隔を介して配置され、それぞれ第１シャフト７４の外周面に対して回転不能な状態で嵌合している。可動筒体８０は、第１シャフト７４の外周面に対して回転可能に且つ軸方向に移動可能な状態で外挿されている。第１カム部材７８は、可動筒体８０側の端面に周方向に沿って軸方向位置が変化する第１カム面８２を有する。第２カム部材７９は、可動筒体８０側の端面に周方向に沿って軸方向位置が変化する第２カム面８３を有する。
【００５３】
可動筒体８０は、取付板７４ａの表面で左右方向に移動可能に支持されたスライドリンク８４と固定されている。可動筒体８０は、左右端面のそれぞれに周方向に沿って軸方向位置が変化する第１受圧面８６及び第２受圧面８７を有する。スライドリンク８４の右側面には、コイルばね８８の一端が係止されている。コイルばね８８の他端は、取付板７４ａの表面に突設されたピンに係止されている。コイルばね８８は、可動筒体８０が第１カム部材７８側に移動する方向に向かってスライドリンク８４を常時付勢している。
【００５４】
スライドリンク８４は、前側に突出した連結板８４ａを有する。連結板８４ａには、孔部８４ｂが形成され、孔部８４ｂには揺動リンク９０から突出した連結駆動ピン９０ａが回転可能に挿入されている。揺動リンク９０は、平面視略Ｌ字状のプレートである。揺動リンク９０は、Ｌ字の短辺となる部分の端部が連結駆動ピン９０ａを用いてスライドリンク８４と回転可能に連結され、Ｌ字の長辺となる部分の端部がリンク駆動ピン９０ｂを用いてスライドリンク部材５２の後端部と回転可能に連結されている。揺動リンク９０のＬ字の角部となる部分は、取付板７４ａに対して回転軸９０ｃを用いて回転可能に支承されている。
【００５５】
このようなヒンジ機構１２Ｒ及びリンク機構５０では、各カム面８２，８３及び各受圧面８６，８７の螺旋の形状を適宜設定する。そうするとリンク機構５０は、第１シャフト７４の回転角度、つまり本体筐体１６に対するディスプレイ筐体１４の回動角度に応じてスライドリンク８４が左右方向にスライドし、揺動リンク９０が前後方向に揺動する。その結果、リンク機構５０は、ディスプレイ筐体１４の回動角度に応じてスライドリンク部材５２を前後方向に所望のタイミングでスライドさせることができる。例えば、当該電子機器１０では、７０度位置から１８０度位置においてポインティングスティック２６が使用位置となり、０度位置及び３６０度位置においてポインティングスティック２６が収納位置となる。そこで、リンク機構５０は、７０度位置から１８０度位置では、スライドリンク部材５２を最も前側に移動させた位置とし、これによりスライド部材４２を介してポインティングスティック２６を使用位置に設定することができる。また、リンク機構５０は、０度位置及び３６０度位置では、スライドリンク部材５２を最も後側に移動させた位置とし、これによりスライド部材４２を介してポインティングスティック２６を収納位置に設定することができる。
【００５６】
以上のように、本実施形態に係る電子機器１０では、ベース部材３６は、ポインティングスティック２６を上面３６ａで支持しており、スライド部材４２のスライド方向に対して、ポインティングスティック２６の一方側（左側）に設けられた第１受圧部３６ｃ，３６ｄと、ポインティングスティック２６の他方側（右側）に設けられた第２受圧部３６ｅと、を有する。また、スライド部材４２は、ベース部材３６の第１受圧部３６ｃ，３６ｄを押圧可能な第１押圧部６４ａ，６４ｂと、第２受圧部３６ｅを押圧可能な第２押圧部６５ａ，６５ｂと、を有する。
【００５７】
このように当該電子機器１０は、１枚のスライド部材４２によってポインティングスティック２６を昇降させる。このため、キーボード装置２０（ベースプレート３４）と基板２２との間のスペースＳを大きく確保することができる（図４Ａ及び図４Ｂ参照）。しかも、ベース部材３６は、スライド部材４２の第１押圧部６４ａ，６４と第２押圧部６５ａ，６５ｂとで押圧される第１受圧部３６ｃ，３６ｄと第２受圧部３６ｅとが、スライド部材４２のスライド方向（左右方向）に対して、ポインティングスティック２６の一方側（左側）と他方側（右側）とに配置されている。このため、ポインティングスティック２６を昇降させるベース部材３６は、その長手方向がスライド部材４２のスライド方向に沿った配置姿勢にできる。その結果、スペースＳがベース部材３６によって侵食される範囲は、スライド部材４２によって侵食される範囲に略重なる。つまり、ポインティングスティック２６を昇降させる構成上、スライド部材４２のスライド方向に沿う範囲のスペースＳの低減はやむを得ないが、本実施形態の場合はこのスペースＳの低減量とほとんど変わらない低減量でベース部材３６の昇降動作を確保することができる。従って、当該電子機器１０は、基板２２上での電子部品２４Ｌ，２４Ｈの実装設計の制約を大幅に解消することができる。特に、当該電子機器１０は、ポインティングスティック２６の前側及び後側の近接位置にもスペースＳが十分に確保されるため、この部分にも電子部品２４Ｌ，２４Ｈを配置することができ、実装設計の自由度が高い。
【００５８】
当該電子機器１０は、ポインティングスティック２６に接続される配線３９が、ベース部材３６の第１受圧部３６ｃ，３６ｄと第２受圧部３６ｅとの間となる位置を通過している。そして、スライド部材４２は、第１押圧部６４ａ，６４ｂと第２押圧部６５ａ，６５ｂとの間となる位置に、配線３９を跨いだブリッジ部７２ａ，７２ｂを有する。これにより、スライド部材４２がスライド動作した際、配線３９にスライド部材４２が干渉することを回避できる。特に、当該電子機器１０は、ベース部材３６の左右側部をスライド部材４２で押圧する構成としているため、配線３９はベース部材３６の前側又は後側に引き出すことが望ましい。このため、スライド部材４２がブリッジ部７２ａ，７２ｂを有することにより、配線３９がスライド部材４２のスライド動作を妨害することがない。なお、本実施形態の場合、配線３９は、ベース部材３６の前側のみに引き出されているため、後側のブリッジ部７２ｂは省略してもよい。
【００５９】
当該電子機器１０では、一対の弾性部材４０，４１は、スライド部材４２のスライド方向に対して、ポインティングスティック２６の一方側（左側）及び他方側（右側）にそれぞれ設けられている。そして、一対の弾性部材４０，４１はそれぞれ、基端部がベース部材３６に対して固定され、先端部がスライド部材４２の表面４２ａに摺動可能に当接している。このため、弾性部材４０，４１は、ベース部材３６の水平姿勢を確実に保持しながら付勢することができる。しかも弾性部材４０，４１は、平面視でスライド部材４２のスライド範囲内に収まる配置となっている。このため、弾性部材４０，４１がスペースＳを侵食することがなく、スペースＳを一層大きく確保できる。弾性部材４０，４１は互いの基端部同士が繋がった一体構造のものでもよい。弾性部材４０，４１は、一方のみで構成されてもよい。また、一対の弾性部材４０，４１はそれぞれ、基端部がスライド部材４２に対して固定され、先端部がベース部材３６の下面３６ｂに摺動可能に当接した構成でもよい。
【００６０】
当該電子機器１０において、ベース部材３６の昇降動作をガイドする昇降ガイド部材４４，４５は、ベースプレート３４の下面３４ｂ側にある程度突出させておく必要がある（図４Ａ及び図４Ｂ参照）。これに対し、スライド部材４２のスライド動作をガイドするスライドガイド部材５６，５７は、ベースプレート３４の上面３４ａ側に突き出したボス部５８に螺合させた段付きねじで構成している。このため、スライドガイド部材５６，５７のスペースＳへの突出量は最小限に抑えることができる。その結果、図４Ａ及び図４Ｂに示すように、スライド部材４２に重なる位置のスペースＳであってもスライドガイド部材５７の下方に電子部品２４Ｌを実装することができる。一方、スライド部材４２に重ならない位置のスペースＳではスライドガイド部材５６に重なる位置であっても、電子部品２４Ｌよりも高さの高い電子部品２４Ｈを実装でき、実装設計の制約が一層低減される。
【００６１】
ところで、図９に示すように、ベース部材３６の昇降動作をガイドする昇降ガイド部材４４，４５と、スライド部材４２のスライド動作をガイドするスライドガイド部材５６，５７とは、ポインティングスティック２６を挟んで左右方向に並んでいる。ここで、昇降ガイド部材４４，４５及びスライドガイド部材５６，５７は、左右方向に並んで配置される複数のキートップ２８ａと、その前側（又は後側）で左右方向に並んで配置される複数のキートップ２８ａとの間に形成された隙間Ｃに重なるように配置されている。つまりスライド部材４２についても隙間Ｃに重なる位置で左右方向にスライドする。これにより、キーボード装置２０の上下方向に突出する昇降ガイド部材４４，４５及びスライドガイド部材５６，５７が、各キートップ２８ａを上下動させるパンタグラフ機構９２やラバードーム９４と干渉することを防止している。特に、本実施形態の場合、スライドガイド部材５６，５７はベースプレート３４から上方に大きく突出し、その下方の基板２２との間の隙間を最大限に確保する構成としているため、隙間Ｃに重ねて配置することによるパンタグラフ機構９２やラバードーム９４との干渉防止効果が大きい。
【００６２】
ところで、ベース部材３６に設ける第１受圧部３６ｃ，３６ｄは、図７に示すように前後方向に突出させた構成以外、例えば図１０に示すようにベース部材３６及び弾性部材４０に前後一対の開口部９６ａ，９６ｂを形成し、この開口部９６ａ，９６ｂの右側を向いた内壁面に形成してもよい。そうすると、ベース部材３６の前後方向の幅寸法を一層狭くすることができ、電子部品２４Ｌ，２４Ｈに対する影響を一層低減できる。なお、ベース部材３６を図１０に示す構成とした場合、第１押圧部６４ａ，６４ｂは、例えばブリッジ部７２ａ，７２ｂの端部からベース部材３６の下面３６ｂ側を跨いだアーム９８ａ，９８ｂを介して開口部９６ａ，９６ｂ内に配置されればよい。
【００６３】
なお、本発明は、上記した開示内容に限定されるものではなく、本発明の主旨を逸脱しない範囲で自由に変更できることは勿論である。
【００６４】
上記構成では、ベース部材３６の第１受圧部３６ｃ，３６ｄを前後一対設け、スライド部材４２の第１押圧部６４ａ，６４ｂを前後一対設けた構成を例示したが、第１受圧部３６ｃ，３６ｄはいずれか一方のみで構成されてもよく、第１押圧部６４ａ，６４ｂもいずれか一方のみで構成されてもよい。同様に、上記構成では、ベース部材３６の第２受圧部３６ｅを前後方向に延在した形状とし、スライド部材４２の第２押圧部６５ａ，６５ｂを前後一対設けた構成を例示したが、第２受圧部３６ｅは前後方向に幅狭な構成であってもよく、第２押圧部６５ａ，６５ｂはいずれか一方のみで構成されてもよい。但し、これら第１受圧部３６ｃ，３６ｄ等は、前後一対で設けられている方が、ベース部材３６の昇降動作をより水平姿勢で安定したものとできる。勿論、第２受圧部３６ｅについても前後一対で設けられてもよい。
【００６５】
上記では、ディスプレイ筐体１４の回動動作と連動して昇降する操作部材としてポインティングスティック２６を例示したが、この操作部材は他の部品であってもよい。例えば、ポインティングスティック２６と共に又はポインティングスティック２６に代えて本体筐体１６の上面１６ａに設けられる押しボタン等を昇降動作させる構成としてもよい。
【００６６】
上記では、スティック位置設定機構３２は、ヒンジ機構１２の回転をリンク機構５０を介してスライドリンク部材５２からスライド部材４２に伝達する構成を例示した。この機械式のリンク機構５０に代えて、例えばヒンジ機構１２によるディスプレイ筐体１４の回動角度に応じて駆動される電動モータ等のアクチュエータを用いてスライドリンク部材５２を介して、或いはスライドリンク部材５２を介さずにスライド部材４２をスライドさせる構成としてもよい。また、スライド部材４２のスライド方向は前後方向でもよく、この場合はベース部材３６も同様に前後方向に沿って第１受圧部３６ｃ，３６ｄや第２受圧部３６ｅ等が配置されればよい。
【符号の説明】
【００６７】
１０  電子機器
１２Ｌ，１２Ｒ  ヒンジ機構
１４  ディスプレイ筐体
１６  本体筐体
１６ａ，３４ａ，３６ａ  上面
１６ｂ，３４ｂ，３６ｂ  下面
１８  ディスプレイ
２０  キーボード装置
２２  基板
２４Ｌ，２４Ｈ  電子部品
２６  ポインティングスティック
２８ａ  キートップ
３０  フレーム
３０ａ，３４ｃ  孔部
３２  スティック位置設定機構
３４  ベースプレート
３６  ベース部材
３６ｃ，３６ｄ  第１受圧部
３６ｅ  第２受圧部
３９  配線
４０，４１  弾性部材
４２  スライド部材
４４，４５  昇降ガイド部材
５０  リンク機構
６４ａ，６４ｂ  第１押圧部
６５ａ，６５ｂ  第２押圧部
７２ａ，７２ｂ  ブリッジ部
Ｃ  隙間 
【図１】
2020009277.tif 000003
【図２Ａ】
2020009277.tif 000004
【図２Ｂ】
2020009277.tif 000005
【図３】
2020009277.tif 000006
【図４Ａ】
2020009277.tif 000007
【図４Ｂ】
2020009277.tif 000008
【図５Ａ】
2020009277.tif 000009
【図５Ｂ】
2020009277.tif 000010
【図６】
2020009277.tif 000011
【図７】
2020009277.tif 000012
【図８】
2020009277.tif 000013
【図９】
2020009277.tif 000014
【図１０】
2020009277.tif 000015
【手続補正書】
【提出日】令和1年9月20日(2019.9.20)
【手続補正１】
【補正対象書類名】特許請求の範囲
【補正対象項目名】全文
【補正方法】変更
【補正の内容】
【特許請求の範囲】
【請求項１】
電子機器であって、
筐体と、
前記筐体の表面に露出した操作部材と、
前記筐体の内部で昇降可能に設けられ、一面で支持した前記操作部材を前記筐体の表面から上昇させる上昇位置と、前記筐体の表面から下降させる下降位置との間で移動するベース部材と、
前記ベース部材を前記上昇位置から前記下降位置に向かう方向に付勢する弾性部材と、
前記筐体の内部でスライド可能に設けられ、一方向にスライドした場合に前記弾性部材の付勢力に抗して前記ベース部材を押圧して前記上昇位置に配置する一方、前記一方向とは逆の他方向にスライドした場合に前記操作部材に対する押圧力が解除されることで、前記ベース部材を前記弾性部材の付勢力によって前記下降位置に配置させるスライド部材と、
を備え、
前記ベース部材は、前記スライド部材のスライド方向に対して、前記操作部材の一方側に設けられた第１受圧部と、前記操作部材の前記一方側とは逆の他方側に設けられた第２受圧部と、を有し、
前記スライド部材は、前記ベース部材の前記第１受圧部を押圧可能な第１押圧部と、該第１押圧部と一体に構成され、前記第２受圧部を押圧可能な第２押圧部と、を有することを特徴とする電子機器。
【請求項２】
電子機器であって、
筐体と、
前記筐体の表面に露出した操作部材と、
前記筐体の内部で昇降可能に設けられ、一面で支持した前記操作部材を前記筐体の表面から上昇させる上昇位置と、前記筐体の表面から下降させる下降位置との間で移動するベース部材と、
前記ベース部材を前記上昇位置から前記下降位置に向かう方向に付勢する弾性部材と、
前記筐体の内部でスライド可能に設けられ、一方向にスライドした場合に前記弾性部材の付勢力に抗して前記ベース部材を押圧して前記上昇位置に配置する一方、前記一方向とは逆の他方向にスライドした場合に前記操作部材に対する押圧力が解除されることで、前記ベース部材を前記弾性部材の付勢力によって前記下降位置に配置させるスライド部材と、
を備え、
前記ベース部材は、前記スライド部材のスライド方向に対して、前記操作部材の一方側に設けられた第１受圧部と、前記操作部材の前記一方側とは逆の他方側に設けられた第２受圧部と、を有し、
前記スライド部材は、前記ベース部材の前記第１受圧部を押圧可能な第１押圧部と、前記第２受圧部を押圧可能な第２押圧部と、を有し、
前記操作部材には、配線が接続されると共に、該配線は、前記ベース部材の前記第１受圧部と前記第２受圧部との間となる位置を通過しており、
前記スライド部材は、前記第１押圧部と前記第２押圧部との間となる位置に、前記配線を跨いだブリッジ部を有することを特徴とする電子機器。
【請求項３】
電子機器であって、
筐体と、
前記筐体の表面に露出した操作部材と、
前記筐体の内部で昇降可能に設けられ、一面で支持した前記操作部材を前記筐体の表面から上昇させる上昇位置と、前記筐体の表面から下降させる下降位置との間で移動するベース部材と、
前記ベース部材を前記上昇位置から前記下降位置に向かう方向に付勢する弾性部材と、
前記筐体の内部でスライド可能に設けられ、一方向にスライドした場合に前記弾性部材の付勢力に抗して前記ベース部材を押圧して前記上昇位置に配置する一方、前記一方向とは逆の他方向にスライドした場合に前記操作部材に対する押圧力が解除されることで、前記ベース部材を前記弾性部材の付勢力によって前記下降位置に配置させるスライド部材と、
を備え、
前記ベース部材は、前記スライド部材のスライド方向に対して、前記操作部材の一方側に設けられた第１受圧部と、前記操作部材の前記一方側とは逆の他方側に設けられた第２受圧部と、を有し、
前記スライド部材は、前記ベース部材の前記第１受圧部を押圧可能な第１押圧部と、前記第２受圧部を押圧可能な第２押圧部と、を有し、
前記弾性部材は、少なくとも一対設けられると共に、該一対の弾性部材は、前記操作部材の前記一方側及び前記他方側にそれぞれ設けられており、
前記一対の弾性部材はそれぞれ、一端部が前記ベース部材に対して固定され、他端部が前記スライド部材の表面に摺動可能に当接しているか、又は、一端部が前記ベース部材の前記一面とは逆の他面に摺動可能に当接し、他端部が前記スライド部材に対して固定されていることを特徴とする電子機器。
【請求項４】
請求項１〜３のいずれか１項に記載の電子機器であって、
前記筐体の表面には、上下動可能な複数のキートップを有するキーボード装置が設けられ、
前記操作部材は、前記キーボード装置に設けられたポインティングスティックであり、
前記キーボード装置は、複数のキートップが左右方向に並んで配置されると共に、該左右方向に並んで配置された複数のキートップの前側及び後側には、左右方向に延在する隙間を介して複数のキートップが左右方向に並んで配置されており、
前記スライド部材は、前記キーボード装置の前記隙間に重なる位置で、前記左右方向にスライドすることを特徴とする電子機器。
【請求項５】
電子機器であって、
筐体と、
前記筐体の表面に露出した操作部材と、
前記筐体の内部で昇降可能に設けられ、一面で支持した前記操作部材を前記筐体の表面から上昇させる上昇位置と、前記筐体の表面から下降させる下降位置との間で移動するベース部材と、
前記ベース部材を前記上昇位置から前記下降位置に向かう方向に付勢する弾性部材と、
前記筐体の内部でスライド可能に設けられ、一方向にスライドした場合に前記弾性部材の付勢力に抗して前記ベース部材を押圧して前記上昇位置に配置する一方、前記一方向とは逆の他方向にスライドした場合に前記操作部材に対する押圧力が解除されることで、前記ベース部材を前記弾性部材の付勢力によって前記下降位置に配置させるスライド部材と、
を備え、
前記ベース部材は、前記スライド部材のスライド方向に対して、前記操作部材の一方側に設けられた第１受圧部と、前記操作部材の前記一方側とは逆の他方側に設けられた第２受圧部と、を有し、
前記スライド部材は、前記ベース部材の前記第１受圧部を押圧可能な第１押圧部と、前記第２受圧部を押圧可能な第２押圧部と、を有し、
前記筐体の表面には、上下動可能な複数のキートップを有するキーボード装置が設けられ、
前記操作部材は、前記キーボード装置に設けられたポインティングスティックであり、
前記キーボード装置は、複数のキートップが左右方向に並んで配置されると共に、該左右方向に並んで配置された複数のキートップの前側及び後側には、左右方向に延在する隙間を介して複数のキートップが左右方向に並んで配置されており、
前記スライド部材は、前記キーボード装置の前記隙間に重なる位置で、前記左右方向にスライドするものであり、
少なくとも前記ベース部材の前記一方側及び前記他方側にそれぞれ設けられ、前記ベース部材の前記上昇位置と前記下降位置との間での昇降動作をガイドする昇降ガイド部材と、
前記スライド部材を前記左右方向へのスライド動作をガイドするスライドガイド部材と、
を備え、
前記昇降ガイド部材及び前記スライドガイド部材は、前記隙間に重なる位置に設けられていることを特徴とする電子機器。
【請求項６】
請求項１〜５のいずれか１項に記載の電子機器であって、
前記筐体に対してヒンジ機構によって回動可能に連結され、ディスプレイが設けられたディスプレイ筐体と、
前記ディスプレイ筐体を前記筐体に対して回動させた場合に、前記スライド部材を移動させるリンク機構と、
を備えることを特徴とする電子機器。